(57)【特許請求の範囲】
【請求項１】
公衆回線網を介した公衆無線通信とローカル通信機器とローカル無線通信を行う通信装置において、
ローカル無線通信によりローカル通信機器を検索する検索手段と、
前記検索手段により検索されたローカル通信機器とローカル無線通信を行うローカル無線通信手段とを有し、
前記ローカル無線通信手段は、第１のローカル通信機器とのローカル無線通信によるデータ通信中に、公衆回線網から公衆無線通信によるデータ通信を要求する着信があった場合、第１のローカル通信機器とのローカル無線通信によるデータ通信を切断し、前記検索手段により検索された第２のローカル通信機器が公衆回線網からの公衆無線通信によるデータ通信を要求する着信に応答するように、前記検索手段により検索された第２のローカル通信機器とローカル無線通信を行うことを特徴とする通信装置。
【請求項２】
請求項１において、
第１のローカル通信機器とのローカル無線通信によるデータ通信中に、公衆回線網から公衆無線通信によるデータ通信を要求する着信があった場合、第１のローカル通信機器とのローカル無線通信によるデータ通信を切断するための指示を入力する入力手段を更に有することを特徴とする通信装置。
【請求項３】
請求項１において、
前記ローカル通信手段は、第１のローカル通信機器とのローカル無線通信によるデータ通信中に、公衆回線網から公衆無線通信による音声通話を要求する着信があった場合、第１のローカル通信機器とのローカル無線通信によるデータ通信を保持したまま、前記検索手段により検索された第２のローカル通信機器が公衆回線網からの公衆無線通信による音声通話を要求する着信に応答するように、前記検索手段により検索された第２のローカル通信機器とローカル無線通信を行うことを特徴とする通信装置。
【請求項４】
公衆回線網を介した公衆無線通信とローカル通信機器とローカル無線通信を行う通信装置の通信方法において、
ローカル無線通信によりローカル通信機器を検索し、
検索したローカル通信機器とローカル無線通信を行い、
第１のローカル通信機器とのローカル無線通信によるデータ通信中に、公衆回線網から公衆無線通信によるデータ通信を要求する着信があった場合、第１のローカル通信機器とのローカル無線通信によるデータ通信を切断し、検索された第２のローカル通信機器が公衆回線網からの公衆無線通信によるデータ通信を要求する着信に応答するように、検索された第２のローカル通信機器とローカル無線通信を行うことを特徴とする通信方法。
【請求項５】
請求項４において、
第１のローカル通信機器とのローカル無線通信によるデータ通信中に、公衆回線網から公衆無線通信による音声通話を要求する着信があった場合、第１のローカル通信機器とのローカル無線通信によるデータ通信を保持したまま、検索された第２のローカル通信機器が公衆回線網からの公衆無線通信による音声通話を要求する着信に応答するように、検索された第２のローカル通信機器とローカル無線通信を行うことを特徴とする通信方法。
【請求項６】
公衆回線網を介した公衆無線通信とローカル通信機器とローカル無線通信を行うコンピュータに、
ローカル無線通信によりローカル通信機器を検索する検索手順と、
検索したローカル通信機器とローカル無線通信を行うローカル無線通信手順を実行させるためのプログラムにおいて、
第１のローカル通信機器とのローカル無線通信によるデータ通信中に、公衆回線網から公衆無線通信によるデータ通信を要求する着信があった場合、第１のローカル通信機器とのローカル無線通信によるデータ通信を切断する手順と、検索された第２のローカル通信機器が公衆回線網からの公衆無線通信によるデータ通信を要求する着信に応答するように、検索された第２のローカル通信機器とローカル無線通信を行う手順を、コンピュータに実行させるためのプログラム。
【請求項７】
請求項６において、
第１のローカル通信機器とのローカル無線通信によるデータ通信中に、公衆回線網から公衆無線通信による音声通話を要求する着信があった場合、第１のローカル通信機器とのローカル無線通信によるデータ通信を保持したまま、検索された第２のローカル通信機器が公衆回線網からの公衆無線通信による音声通話を要求する着信に応答するように、検索された第２のローカル通信機器とローカル無線通信を行う手順をコンピュータに実行させるためのプログラム。
【発明の詳細な説明】
【０００１】
【発明の属する技術分野】
本発明は、公衆回線網を介した通信とローカルな通信を行う通信装置に関するものである。
【０００２】
【従来の技術】
従来、PHS（パーソナル・ハンディーフォン・システム）や携帯電話に代表されるデジタル無線電話では、専用デジタルインターフェイスやUSB（ユニバーサル・シリアル・バス）などを用いてパーソナルコンピュータ（以下PC）等の外部機器と接続し、電話帳やスケジュール帳のデータ交換、メール転送やインターネットアクセスなどを実現し、またヘッドセットを接続することで、電話機を離して通話を行うこと等を実現している。
【０００３】
また、近年ではユーザーの利便性を考慮し、これらのケーブルを置き換える無線通信インターフェイスの検討が進んでいる。この無線通信インターフェイスでは、必要に応じて通信相手に対して通信スロットを固定的に割り当てる事で、リアルタイム音声通信を実現する手段と、デジタルデータをパケットに分割し転送する手段を有し、一つの無線通信手段によりリアルタイム音声通信や、種々のデータ通信が実現できる。
【０００４】
この無線インターフェイスでは種々のデータ通信が可能となるために、たとえば、デジタルカメラのリモートコントロールや画像データの送受信等、従来の機能に加え携帯電話からローカル接続された機器を制御することが可能となる。
【０００５】
【発明が解決しようとする課題】
しかしながら上記従来例において、携帯電話（PHS等のデジタル無線電話を含む）からローカルに接続された機器を制御する場合、接続機器の制御中に公衆回線網からの着信を受け付けることが可能である。
【０００６】
このように、ローカル通信を行っているときに公衆網からの着信があった場合、ユーザーは、フックオフ操作をすることは可能であるが、以下のような問題点があった。
【０００７】
すなわち、携帯電話とPCを接続して携帯電話の電話帳データをPCにダウンロードしているときに、公衆網から着信があり、ユーザーがフックオフした場合において、公衆網からPPP（ポイント・ツー・ポイント・プロトコル）による接続要求がきた場合、携帯電話とPCは通信中であるために、公衆網からのコネクション要求は拒否されてしまう。
【０００８】
この様に、従来では、ユーザーはローカル通信が終了した後に、先に着信があった相手に電話をかけなくてはならないといった問題があった。
【０００９】
【課題を解決するための手段】
そこで、本発明によれば、公衆回線網を介した公衆無線通信とローカル通信機器とローカル無線通信を行う通信装置において、ローカル無線通信によりローカル通信機器を検索する検索手段と、前記検索手段により検索されたローカル通信機器とローカル無線通信を行うローカル無線通信手段とを有し、前記ローカル無線通信手段は、第１のローカル通信機器とのローカル無線通信によるデータ通信中に、公衆回線網から公衆無線通信によるデータ通信を要求する着信があった場合、第１のローカル通信機器とのローカル無線通信によるデータ通信を切断し、前記検索手段により検索された第２のローカル通信機器が公衆回線網からの公衆無線通信によるデータ通信を要求する着信に応答するように、前記検索手段により検索された第２のローカル通信機器とローカル無線通信を行うことにより、第１のローカル通信機器とのローカルなデータ通信中の公衆回線網からのデータ通信を要求する着信に、第２のローカル通信機器により応答することができる。
【００１２】
【発明の実施の形態】
図１は、本発明を実施したシステムの構成図であり、図２は、本発明を実施した携帯電話の外形図である。
【００１３】
図３は、本発明を実施した装置におけるローカル通信モード設定表示画面であり、図４は本発明を実施した装置において、ローカル通信モードのイメージ操作を行った場合の操作画面および、イメージ操作中に同様の機能を要求する着信が公衆網からあった場合の表示画面を示す。
【００１４】
図５は、図３と同様イメージ操作を行っている場合に、公衆網から音声着信があった場合の表示画面を示す。
【００１５】
図６は、本発明を実施した携帯電話機の構成図である。
【００１６】
図７、図８は、同装置においてローカル通信モード動作時の動作フローチャートである。
【００１７】
図１において、１０１は、本発明を実施した装置であり、本実施形態では携帯電話である。１１０は、無線公衆回線網である。
【００１８】
１０２は、本発明を実施した装置１０１と通信が可能なローカル無線通信インターフェイスを有するイメージングデバイスであり、本実施形態ではデジタルスティールカメラの場合を示す。
【００１９】
１０３は、カメラ１０２と同様のローカル無線通信インターフェイスを有するPCを示し、１０４は、同無線通信インターフェイスの音声通信機能を有するヘッドセットである。１０５は、同無線通信インターフェイスを有するプリンターである。
【００２０】
図２に於いて、２０１は、本発明を実施している携帯電話１０１の表示部を示す。
【００２１】
２０２は、無線公衆回線網１１０との接続を行うための携帯電話の通話スイッチを示し、このスイッチを押すことにより電話機のフックオフと同様の動作がなされる。
【００２２】
２０３は、無線公衆回線網１１０との通信を切断するための切断スイッチであり、このスイッチが押されると電話機のフックオンと同様の動作がなされる。
【００２３】
２０４は、携帯電話機１０１におけるローカル通信モード操作スイッチであり、このスイッチのよりローカル通信モードへの移行ならびに、メニュー選択を行う。
【００２４】
２０５は、携帯電話の各機能選択を行うためにカーソルを移動させるスイッチである。
【００２５】
図３において、３０１は、ローカル通信モード操作スイッチ２０４が初めに押された場合のローカル通信モードの初期画面を示す。３０２は、ローカル通信モードの初期メニュー３０１から機能一覧３０６を選択した場合に表示される画面であり、ローカル通信モードでサポートしている機能の一覧表示画面を示す。
【００２６】
３０３は、ローカル通信モードで画面３０２のイメージ操作３０７を選択した場合に、イメージ操作ができる端末の一覧表示画面を示す。３０４は、画面３０３の通信可能端末の中から一つの端末３０８を選択した場合の、イメージ操作種類選択画面を示す。
【００２７】
図４において、４０１は、画面３０４のイメージ操作において、ブラウジング機能３０９を選択した場合の操作画面を示す。
【００２８】
４０２は、具体的なイメージブラウジングを行っている場合の画面を示す。画面４０１において、画像ファイル番号１を入力すると、画面が４０２に切り換わり、画面４０１のイメージリストの画像ファイル番号１であるファイル名１００−０００１のサムネイル（縮小画像）が表示される。
【００２９】
４０３は、イメージブラウジングを行っているときに、無線公衆回線網１１０から、ローカル通信モードで選択している機能に類似した機能を用いる着呼があったときに表示される画面であり、ローカル通信モードの制御選択画面を示す。
【００３０】
４０４は、ローカル通信モード制御画面４０３でローカル通信切断４０６が選択された後に、着呼に対して新たにローカル通信を行うかどうかを選択するための選択画面を示す。
【００３１】
図５において、５０１および５０２は、図４と同様に、ローカル通信モードにおいてイメージ操作のブラウジング機能３０９を選択した場合のイメージブラウジング操作画面を示し、５０３は、無線公衆網から音声通信の着呼があった場合のローカル通信モード選択画面を示す。
【００３２】
図６に於いて、２０１は、本発明を実施している携帯電話１０１の表示部を示す。表示部２０１は、図３、図４、図５の表示を行う。
【００３３】
２２０は、操作部を示し、図２に示される通話スイッチ２０２、切断スイッチ２０３、ローカル通信モード操作スイッチ２０４、カーソル移動スイッチ２０５が含まれる。
【００３４】
２３０は、ＣＰＵであり、２４０は、ＣＰＵ２３０のプログラムを記憶したメモリである。ＣＰＵ２３０は、コンピュータであり、メモリ２４０は、ＣＰＵ２３０のプログラムを、ＣＰＵ２３０により読み出し可能に記憶した記憶媒体である。図７、図８は、このプログラムの一部を表わす。
【００３５】
２５０は、無線公衆回線網１１０との通信を行う公衆無線部、２６０は、無線公衆回線網１１０を介さず、ローカルに通信するためのローカル無線インターフェイスであるローカル無線部である。
【００３６】
２７０は、通信制御部であり、公衆無線部２５０から受信したデータをローカル無線部２６に出力し、ローカル無線部２６０から受信したデータを公衆無線部２５０に出力する。
【００３７】
以下に、本発明を施した携帯電話１０１の具体的な動作について説明を行う。この携帯電話１０１においては、表示部２０１、公衆無線部２５０、ローカル無線部２６０、通信制御部２７０は、ＣＰＵ２３０の制御の元に、以下の動作を行う。ＣＰＵ２３０は、操作部２２０からの入力、公衆無線部２５０およびローカル無線部２６０からの受信出力、メモリ２４０の記憶内容に基いて、表示部２０１、公衆無線部２５０、ローカル無線部２６０、通信制御部２７０を制御する。
【００３８】
ユーザーが携帯電話１０１からデジタルスティールカメラ１０２に保存されている画像ファイルを操作しようとした場合、ユーザーは、まずローカル通信モード操作スイッチ２０４を押す。すると、携帯電話１０１の表示画面２０１にローカル通信モード３０５の初期メニュー画面３０１が表示される。
【００３９】
次に、ユーザーがスイッチ２０５を操作し、カーソルを画面３０１上の機能一覧表示３０６に移動させたのち、ローカル通信モード操作スイッチ２０４を押すと、画面が携帯電話１０１でサポートしているローカル通信モードの一覧表示画面３０２に切り替わる。
【００４０】
この画面３０２上でユーザーがスイッチ２０５を操作し、カーソルをイメージ操作３０７に移動させた後、ローカルモード操作スイッチ２０４を押すと、携帯電話１０１は、ローカル無線部２６０により、無線通信圏内にあるローカル無線インターフェイスを持つイメージングデバイスの検索動作を行い、この検索結果を端末一覧表示画面３０３で表示する。
【００４１】
ここで行われるイメージングデバイスの検索動作は、ローカル無線インターフェイスで定められている機能を使用する。一般的には、同インターフェイスを有する端末が受信できる形式の問い合わせ信号を送信し、その問い合わせ信号に対する応答があった端末を検索結果として表示させる。
【００４２】
このイメージング端末検索結果画面３０３で、ユーザーはスイッチ２０５を操作し、カーソルを所望のイメージングデバイス（今回はデジタルスティールカメラ１０２（図３では、３０８）を選択するものとする）にあわせ、ローカル通信モード操作スイッチ２０４を押すと、ローカル無線部２６０は、デジタルスティールカメラ１０２からイメージ操作機能を獲得し、携帯電話１０１の表示画面２０１は、イメージ操作機能の一覧表示画面３０４へと切り替わる。
【００４３】
ここで、ユーザーがイメージ操作として行いたい機能としてブラウジング３０９を、スイッチ２０５及びローカル通信モード操作スイッチ２０４で選択すると、携帯電話１０１は、ローカル無線部２６０を用いて、デジタルスチィールカメラ１０２との間で無線接続動作を行い、ローカル通信モード状態に移行する。
【００４４】
以下に、イメージブラウジング操作の一例を、記載する。
【００４５】
イメージブラウジング３０９が選択されると、携帯電話１０１は、まず初めに、ローカル無線部２６０を用いて、デジタルスティールカメラ１０２に保存されている画像データファイルのリストを取得し、画面４０１上に表示する。
【００４６】
操作部２２０を用いて、この画面４０１上のリストからユーザーが所望のファイル番号（ここでは、ファイル番号１）を選択し、取得したいデータの種類を選択すると、携帯電話１０１は、ローカル無線部２６０を用いて、デジタルスティールカメラ１０２から選択された画像データをダウンロードし、画面上４０２に表示する。なお、ここでは、データの種類として、サムネイル（縮小画像）を選択する。サムネイルのほか、フル画像（詳細画像）が選択可能である。
【００４７】
この動作は、全て、デジタルスティールカメラ１０２とローカル通信（図７のＳ２０）を行っている状態で行われ、ユーザーがイメージブラウジングを終了させるまで継続される。なお、ユーザーが、ローカル通信を終了すると（Ｓ３０）、ローカル無線部２６０は、ローカル通信切断動作を行う（Ｓ４０）。
【００４８】
ユーザーがイメージブラウジング操作を行っているときに、無線公衆回線網１１０からの着信を公衆無線部２５０で受信した場合（Ｓ１０）、携帯電話１０１は、以下に示すようなローカル通信モードフロー制御にしたがって、初めに表示画面２０１上に着信表示４０５を行う。
【００４９】
着信表示（Ｓ５０）を行った後に、携帯電話１０１のＣＰＵ２３０は、公衆無線部２５０で受信した着信内容を確認し（Ｓ６０）、仮に着信がメール着信通知等の通知着信の場合は、Ｓ２０へ進み、ローカル通信モードを保持し続ける。なお、公衆無線部２５０がメール着信通知を受信した場合、ここでは、表示部２０１に、メール着信があったことを表示する。
【００５０】
一方、Ｓ６０で、着信が通信要求の場合、着信表示４０５が行われた状態で通話スイッチ２０２が押されるまでローカル通信動作を保持する（Ｓ８０、Ｓ８２）。ここで、ローカル通信動作が終了されると、ローカル無線部２６０は、デジタルスティールカメラ１０２とのローカル通信の切断操作を行う（Ｓ８６）。ローカル通信動作を終了した場合は、通常の着信受付動作を行う。
【００５１】
このローカル通信動作において、通話スイッチ２０２が押されると（着信受付操作がなされると）（Ｓ７０）、次に着信の内容確認動作（Ｓ９０）へと移行する。
【００５２】
ここで、公衆無線部２５０での着信内容がＰＰＰ等のデータ通信機能を要求している場合は、ローカル通信モードにおいて既にデータ通信に必要なプロトコル（機能）が使用されているので、携帯電話１０１のＣＰＵ２３０は、ローカル通信モードの制御選択画面４０３を表示し、ユーザーからの指示を待機する。この時、表示画面４０３上に着信要求の種類としてパケット通信要求と表示することも可能である。
【００５３】
ここで、画面４０３において、操作部２２０から、着信拒否が選択された場合は（Ｓ１００）、公衆無線部２５０は、フックオン動作を行い（Ｓ１１０）、着信を拒否する応答を返す。そして、画面をローカル通信モードで使用していた前の画面４０２に戻し、ローカル通信が終了されるまで、デジタルスティールカメラ１０２とのローカル通信を継続する（Ｓ１２０）。ローカル通信が終了されると（Ｓ１３０）、ローカル無線部２６０は、ローカル通信切断動作を行う（Ｓ１４０）。なお、Ｓ１１０でフックオン動作を行った場合、Ｓ２０へ戻って、次の着信に備えてもよい。
【００５４】
仮にユーザーが操作部２２０でローカル通信切断４０６を選択した場合は（Ｓ２００）、ローカル無線部２６０は、イメージブラウジング等のローカル通信操作を中断し、接続されているデジタルスティールカメラ１０２とのローカル通信を切断状態にする（Ｓ２１０）。
【００５５】
Ｓ２１０で、ローカル通信が切断されると、次に携帯電話１０１は、ローカル無線部２６０を用いて、通信機器検索動作を行い、その結果応答のあったすべての機器を新たなローカル通信モード選択のために画面４０４として表示し、ユーザーからの操作を待機する。
【００５６】
着呼の内容がPPPの場合、ユーザーはPPPをサポートしている機器として例えばPC１０３をスイッチ２０５およびローカル通信モード操作スイッチ２０４により選択する（Ｓ２２０）。
【００５７】
ローカル通信モード選択画面４０４でＰＣ１０３が選択されると、ローカル無線部２６０は、前述デジタルスティールカメラの機能一覧表示と同様に、ＰＣ１０３でサポートされている機能一覧をＰＣ１０３から獲得して、表示部２０１に表示する。
【００５８】
その中からデータ通信機能が選択されると、ローカル無線部２６０は、このＰＣ１０３とのローカル通信接続動作を行い（Ｓ２３０）、公衆無線部２５０は、着信に応答し、通信制御部２７０は、ローカル無線部２６０と公衆無線部２５０を接続し、ＰＣ１０３と無線公衆網１１０からの着信相手とのコネクションを確立する。
【００５９】
その後、ローカル通信を終了する場合（Ｓ２４０）、ローカル無線部２６０は、ローカル通信切断動作を行う（Ｓ２５０）。また、公衆無線部２５０も、公衆通信切断動作を行う。
【００６０】
ここで、ユーザーが画面４０４のローカル通信モード選択でキャンセルを行った場合に（Ｓ２２０でＮｏ）、仮に携帯電話１０１にPPP（ポイント・ツー・ポイント・プロトコル）を含めた通信機能がサポートされている場合は、携帯電話１０１との間で無線公衆回線を介したコネクションの確立が行われ、通信機能がサポートされていない場合は、PPPで規定されているタイマーのタイムアウトにより切断される。
【００６１】
次に、ローカル通信モードでイメージブラウジングを行っているときに、音声通信の着呼があった場合について説明を行う。
【００６２】
まず、前述と同様に、Ｓ２０において、ユーザーが携帯電話１０１を用いてデジタルスティールカメラ１０２のデータをブラウジング操作しているときに、Ｓ１０で、無線公衆回線網１１０から着呼があった場合、携帯電話１０１はローカル通信モードの処理において、前述と同様に、Ｓ５０で、着信表示を行った後、ユーザーからの通話スイッチ２０２操作を待機する。
【００６３】
ここで、Ｓ７０において、ユーザーが通話スイッチ２０２を押すと、次に携帯電話１０１のＣＰＵ２３０は、Ｓ９０で、着信の内容確認を行い、着信内容が音声通話であると判断した場合（この判断は、公衆回線網との通信モードがパケット通信モードか否かで判断を行う）、現在ローカル通信モードで用いている機能とは一致していないので、携帯電話１０１のローカル無線部２６０は、現在のデジタルスティールカメラ１０２とのローカル通信の状態を保持したまま、通信機器検索動作を行い、その結果を新たなローカル通信モード選択画面５０３として表示する（Ｓ３００）。
【００６４】
この時に、この表示と併せて音声通信要求表示を行うことも可能である。
【００６５】
通信機器検索の結果、通信圏内に音声通信を行うためのヘッドセット１０４が検出され、ユーザーがこのヘッドセット使って会話をする場合は、操作部２２０を用いて、ローカル通信モード選択画面によりヘッドセット１０４を選択する（Ｓ３１０）。
【００６６】
この選択動作が行われると、携帯電話１０１は、ローカル無線部２６０を用いて、現在のデジタルスティールカメラ１０２とのローカル通信の状態を保持したまま、新たにヘッドセットとの間でローカル通信接続を行う（Ｓ３２０）。一方、公衆無線部２５０は、着信に応答し、通信制御部２７０は、ローカル無線部２６０と公衆無線部２５０を接続し、ヘッドセット１０４と無線公衆網１１０からの着信相手とのコネクションを確立する。
【００６７】
その後、ローカル通信操作が行われ（Ｓ３３０）、音声通信が終了し、ユーザーが携帯電話本体１０１の切断スイッチ２０３を押すと（Ｓ３４０）、携帯電話１０１の公衆無線部２５０が、無線公衆回線網１１０との間の接続をきった後、ローカル無線部２６０は、ヘッドセット１０４との間のローカル通信も切断する（Ｓ３５０）。Ｓ３４０において切断されたローカル通信がＳ３２０で新たに接続されたローカル通信であった場合、Ｓ３３０へ戻って、イメージブラウジングを続行する（Ｓ３６０）。なお、この場合、Ｓ２０へ戻って、次の着信に備えてもよい。
【００６８】
また、Ｓ３４０で終了したローカル通信がイメージブラウジングの場合、Ｓ３５０で、ローカル無線部２６０は、デジタルスティールカメラ１０２とのローカル通信を切断する。当然、この場合、ここでは、無線公衆網１１０との接続は、切断しない。そして、Ｓ３３０へ戻って、ヘッドセット１０４を用いた音声通信を続行する。
【００６９】
デジタルスティールカメラ１０２のイメージブラウジングとヘッドセット１０４を用いた音声通信の両方が終了すると、全ローカル通信の終了をＳ３６０で判断して、ローカル通信モードを終了する。
【００７０】
以上の説明では、デジタルスティールカメラ１０２とローカル通信中に無線公衆回線網１１０からPPP着信要求があった場合、デジタルスティールカメラ１０２のローカル通信を切断する動作について説明を行ったが、ローカル無線通信インターフェイスにおいてマルチ論理リンクをサポートしている場合にはこの限りではなく、デジタルスティールカメラとPC接続を共に行うことも可能である。
【００７１】
以下に、ローカル無線通信インターフェイスがマルチ論理リンクをサポートしている場合の動作について説明を行う。
【００７２】
先の説明と同様に、Ｓ２０で、携帯電話１０１により、イメージブラウジングを行っている時に、Ｓ１０で、無線公衆回線網１１０から着信が合った場合、Ｓ５０で、着信表示を行った後に、Ｓ６０の着信要求判断およびＳ７０の着信受付判断待機を行う。その後、Ｓ７０で、ユーザーが通話スイッチ２０２を操作し、着信を受け付けると、携帯電話１０１は、Ｓ３００へ進み、すぐに通信機器検索を行い、その結果から現在ローカル通信中の端末を除く通信機器の情報を、新たなローカル通信モード選択画面に表示させる。
【００７３】
Ｓ３１０で、この画面が表示された後ユーザーが、スイッチ２０５およびローカル通信モード操作スイッチ２０４操作により新たなローカル通信端末を選択すると、携帯電話１０１は、選択された通信機器がサポートする機能一覧を表示し、その中で選択された機能にしたがって選択された機器とローカル通信接続を行う。
【００７４】
【発明の効果】
以上説明したように、第１のローカル通信機器とのローカルなデータ通信中に、公衆回線網からデータ通信を要求する着信があった場合、第２のローカル通信機器により、応答することができる。
【００７５】
また、第１のローカル通信機器とのローカルなデータ通信を切断するための指示を入力する入力手段を有することにより、ユーザーは容易に、着信に応答するか選択できる。
【００７６】
また、音声通信を要求する着信には、現在行っているローカル通信操作を中断することなく対応できる。
【図面の簡単な説明】
【図１】本発明を実施したシステムの構成図である。
【図２】本発明を実施した携帯電話の外形図である。
【図３】本発明を実施した装置におけるローカル通信モード設定表示画面である。
【図４】本発明を実施した装置において、ローカル通信モードのイメージ操作を行った場合の操作画面および、イメージ操作中に同様の機能を要求する着信が公衆網からあった場合の表示画面である。
【図５】本発明を実施した装置において、ローカル通信モードのイメージ操作を行った場合の操作画面および、イメージ操作中に同様の機能を要求する着信が公衆網からあった場合の表示画面である。
【図６】本発明を実施した携帯電話機の構成図である。
【図７】同装置においてローカル通信モード動作時の動作フローチャートである。
【図８】同装置においてローカル通信モード動作時の動作フローチャートである。
【符号の説明】
１０１  携帯電話
１０２  イメージングデバイス
１０３  パーソナルコンピュータ
１０４  ヘッドセット
２０１  携帯電話の表示部
２０２・２０３・２０４・２０５  操作スイッチ
【図１】
0004617022.tif 000002
【図２】
0004617022.tif 000003
【図３】
0004617022.tif 000004
【図４】
0004617022.tif 000005
【図５】
0004617022.tif 000006
【図６】
0004617022.tif 000007
【図７】
0004617022.tif 000008
【図８】
0004617022.tif 000009